(57)【要約】【課題】キー操作による入力候補の複数の定型文を出力可能とする携帯電話機等の携帯機器の文字入力装置を提供する。【解決手段】各キー又はキー入力した仮名文字に対し、予め使用頻度の高い複数の定型文を記憶部４に登録し、キー操作部２のキーを一定時間以上継続して押下することで登録した複数の定型文を呼び出し表示部５に表示する。呼び出せる定型文の候補を多数用意することを可能とし、キー操作回数を減らし、煩わしいキー操作をなくして最小限のキー押下にて文章入力を可能とする。【選択図】図１
2008234454.tif 000002
【特許請求の範囲】
【請求項１】
文字入力用のキーを備える携帯機器の文字入力装置であって、キー毎のキー操作情報と複数の定型文とを対応させて記憶した記憶部と、キーの一定時間以上の押下信号を前記キー操作情報として前記記憶部から対応する複数の定型文を入力候補として読み出す制御部と、を備えることを特徴とする文字入力装置。
【請求項２】
前記キー操作情報はキーを特定する情報であり、前記制御部は、キーの前記一定時間以上の押下信号に基づいてキーを特定する情報として前記記憶部から対応する複数の定型文を入力候補として読み出すことを特徴とする請求項１記載の文字入力装置。
【請求項３】
前記キー操作情報は文字を特定する情報であり、前記制御部は、キーの前記一定時間以上の押下信号に基づいて文字を特定する情報として前記記憶部から対応する複数の定型文を入力候補として読み出すことを特徴とする請求項１記載の文字入力装置。
【請求項４】
前記制御部は、同一キーの連続する押下信号毎に異なる文字を入力候補として出力することを特徴とする請求項１、２又は３記載の文字入力装置。
【請求項５】
前記制御部は、同一キーの前記一定時間未満の連続する押下信号毎に異なる文字を入力候補として出力することを特徴とする請求項１、２又は３記載の文字入力装置。
【請求項６】
入力文字の種類を切り換える機能キーを有し、前記制御部は、前記機能キーによる入力文字の種類の切り換え信号に基づいてキー毎の入力文字の割り付けを変更することを特徴とする請求項１ないし５の何れかの請求項記載の文字入力装置。
【請求項７】
前記複数の定型文は、先頭の読みが前記キー操作情報としての特定された文字と同一であることを特徴とする請求項３ないし６の何れかの請求項記載の文字入力装置。
【請求項８】
入力候補の選択キー及び決定キーと表示部とを有し、前記制御部は、入力候補の複数の定型文を前記表示部の文字入力画面に表示し、選択キー及び決定キーによる定型文の選択、決定の操作信号により当該定型文の入力を確定することを特徴とする請求項１ないし７の何れかの請求項記載の文字入力装置。
【請求項９】
前記携帯機器は携帯電話端末であることを特徴とする請求項１ないし８の何れかの請求項記載の文字入力装置。
【発明の詳細な説明】
【技術分野】
【０００１】
本発明は、携帯機器の文字入力装置に関し、特に携帯電話端末等の文字入力の負担を軽減できる文字入力装置に関する。
【背景技術】
【０００２】
ユーザーが頻繁に使用する携帯電話機等の携帯電話端末では、小型化を実現する為に本体のキーの種類を増やすことは困難である。ところが、携帯電話端末の機能の中には、メール機能に代表されるように文字や記号を入力して使用する機能が多数搭載されている。
【０００３】
従来のキー操作による文字入力方法には、ユーザーが文章を自由に作成することができるように、日本語、英字、数字などのブロックに分け、１つのキーを押す回数によって表示される文字を変えて入力する方法が一般的である。このような文字入力方法は、限られたキーの種類でどんな文字でも表現可能とし、文字の種類も選択可能である利点があるがキー操作回数が極めて多くなり操作が複雑化するという欠点がある。
【０００４】
また、携帯電話端末内に予め定型文を記憶しておき、文字入力時に機能メニュー等から始まる複数の操作を行い定型文を表示させ、所望の定型文を選択して文章として入力する入力方法も考えられる。  
図８はこの種の文字入力方法の処理を示す図である。文字入力画面に切り換えた後（Ｓ１１）、機能メニューを選択し、定型文からの文字入力を選択し（Ｓ１２）、更に定型文を呼び出して文章を選び（Ｓ１３）、決定キーを押下し（Ｓ１４）、定型文による文章を作成して入力を完了する（Ｓ１５）。なお、ステップＳ１２で前述の通常の入力方法を選択する場合は処理ステップＳ１６〜Ｓ１８により入力を完了する。
【０００５】
また、文字入力の操作負担を軽減する方法としては、文字入力用の外部ツールを接続する方法もあるが、手軽さという観点では適したものではなく、やはり本体のキーを用いた操作がもっとも手軽な入力方法であるから、多くのユーザーは本体のキーを操作して文字入力を行っている。
【０００６】
従って、本体の簡単なキー操作で文字入力を可能とすることが望まれているところであり、例えば、所定のキーの長押しにより、当該キーに予め設定した特定文字（又は文字列）を表示して入力可能に構成した文字入力方法も知られている（特許文献１参照）。
【特許文献１】特開２００４−２２７５１１号公報
【発明の開示】
【発明が解決しようとする課題】
【０００７】
前述のように、携帯電話機等の本体のキーを用いて文字入力をする場合、携帯電話機の小型化を実現する為、キーの種類を増やすことは困難である。しかもキー自体も小型化により小さくなりがちであり操作もしづらい。また、１つの文章を打ち込む為には、キーを何度も押して入力する必要があり非常に煩わしく、ユーザーによっては文字入力が複雑で機能を満足に使いこなせないことが問題となっている。つまり、幅広いユーザーが携帯電話機等を手軽に使用できるようにするためにも、キー操作が複雑であるのは問題である。
【０００８】
また、前記特許文献１に記載されている文字入力方法は、所定のキーに対して特定文字を対応させ、当該キーの長押し操作により特定文字の文字入力を可能とするものであり、「っ」等の入力に好適であるとしても携帯端末のように小型化により限られた個数しか配置できない操作キーでは、前記特定文字として扱う文字や文字列の個数等に限りがあり、文字入力時の負担軽減を充分はかることができない。
【０００９】
本発明の目的は、本体のキーの種類を増やすことなくキー操作による入力候補の複数の定型文を出力可能で文字入力を容易にした携帯機器の文字入力装置を提供することにある。
【００１０】
本発明の他の目的は、携帯電話機等の主要機能である文字入力機能において入力候補の複数の定型文を出力可能とし本体の限られたキーを用いても容易かつ短時間で文字入力をすることが可能な携帯機器の文字入力装置を提供することにある。
【課題を解決するための手段】
【００１１】
本発明は予め使用頻度の高い複数の文章を携帯電話端末等の各キー又はキー入力した文字に対応させ、それぞれ複数の定型文として登録し、キーを一定時間以上継続して押下することで登録した複数の定型文を呼び出すことができることを可能にし、従来の利点の部分はそのまま利用可能とするとともに、操作上の問題点を解決している。
【００１２】
本発明の文字入力装置は、文字入力用のキーを備える携帯機器の文字入力装置であって、キー毎のキー操作情報と複数の定型文とを対応させて記憶した記憶部と、キーの一定時間以上の押下信号を前記キー操作情報として前記記憶部から対応する複数の定型文を入力候補として読み出す制御部と、を備えることを特徴とする。
【００１３】
また、前記キー操作情報はキーを特定する情報（例えばキー信号）であり、前記制御部は、キーの前記一定時間以上の押下信号に基づいてキーを特定する情報として前記記憶部から対応する複数の定型文を入力候補として読み出すこと、又は、前記キー操作情報は文字を特定する情報（例えばキー押下回数又は仮名文字）であり、前記制御部は、文字を特定したキーの前記一定時間以上の押下信号に基づいて文字を特定する情報として前記記憶部から対応する複数の定型文を入力候補として読み出すこと、を特徴とする。また、前記制御部は、同一キーの連続する押下信号毎に異なる文字を入力候補として出力すること、前記制御部は、同一キーの前記一定時間未満の連続する押下信号毎に異なる文字を入力候補として出力すること、を特徴とする。
【００１４】
更に以上の発明において、入力文字の種類を切り換える機能キーを有し、前記制御部は、前記機能キーによる入力文字の種類の切り換え信号に基づいてキー毎の入力文字の割り付けを変更すること、前記複数の定型文は、先頭の読みが前記キー操作情報としての特定された文字と同一であること、入力候補の選択キー及び決定キーと表示部とを有し、前記制御部は、入力候補の複数の定型文を前記表示部の文字入力画面に表示し、選択キー及び決定キーによる定型文の選択、決定の操作信号により当該定型文の入力を確定すること、前記携帯機器は携帯電話端末であることを特徴とする。
【発明の効果】
【００１５】
本発明によれば、キー毎のキー操作情報と複数の定型文とを対応させて記憶し、ユーザーのキー押下時間により複数の文章の候補を読み出すように構成したことにより、携帯端末等の携帯機器の限られた本体キーによる文章入力を簡便化することが可能である。特に、登録した複数の定型文を呼び出す際に、機能メニュー操作に始まる複数のキー操作が必要ない為、キー操作回数が減り、煩わしいキー操作をなくして、最小限のキー押下にて文章入力をすることが可能である。
【００１６】
また、文字（を特定する情報）と複数の定型文とを対応させて記憶する構成、更には入力文字の種類を切り換える構成とすることで、呼び出せる文章（定型文）の候補を多数用意することが可能である。更に、この場合、文字と定型文の先頭の読みとを同一とすることで希望する定型文の候補の読み出しが容易となる。
【００１７】
また、同一キーの連続する押下信号毎に異なる文字を入力候補として出力するように構成することで、携帯端末等の携帯機器の文字入力時のキー操作はそのまま使用することができる上に、事前に登録しておいた複数の定型文を呼び出すことが可能である。
【発明を実施するための最良の形態】
【００１８】
（発明の第１の実施の形態）
（実施の形態の構成）
本発明の携帯機器の文字入力装置の実施の形態について携帯電話端末を例として図面を参照して以下説明する。
【００１９】
図１は本実施の形態の一実施の形態の携帯電話端末を示す図である。本実施の形態の携帯電話端末は無線部１、キー操作部２、制御部３、メモリ４、表示部５にて構成されている。
【００２０】
図２は携帯電話端末の外観の例を示す図である。携帯電話端末は上下の２つの筺体をヒンジ結合した折り畳み式構造でなり、上部筺体には表示部５が下部筺体にはキー操作部２が配置されている。各部の機能は以下のとおりである。
【００２１】
無線部１は基地局との無線通信機能を有し、携帯電話端末としての発着信等の制御信号、音声信号等の通話用信号を送受する機能を有する。キー操作部２はテンキー２１、機能キー２４、カーソルキー２２、決定キー２３等、複数のキーを備える。
【００２２】
各キーにはそれぞれの機能が割り当てられており、テンキー２１は電話番号等の数字入力に加えて文字入力時に五十音仮名の入力及び英字、数字等の異なる文字の種類で入力する操作機能を有する。機能キー２４は各種機能を起動するための機能メニューを表示する機能キー、前記テンキー２１で入力する文字の種類を切り換える機能キー、メールメニューを表示し、メール受信、メール文の作成、メール送信等のメール送受信機能を起動する機能キー等を有する。カーソルキー２２は各種設定等での項目選択、文字入力時のブリンク位置の選択及び入力候補の文字列の選択、決定キー２３は前記各種設定及び入力文字の確定操作に使用される。
【００２３】
メモリ部４はＲＯＭ、ＲＡＭ、ＰＲＯＭ等で構成され、携帯電話端末の各種機能を実現するプログラムに加え、本実施の形態の定型文等の格納と、検索、仮名漢字変換等の各種プログラムの格納機能を有する。表示部５は液晶表示装置等で構成され、各種の機能メニュー、文字入力画面、文字入力における定型文の表示機能を有し、例えばメール文を作成する文字入力画面では、図２に示すように入力文字列等の候補を表示可能な画面部５２と、入力した文字又は前記候補から選択した文字列等を入力し、メール本文を表示可能な画面部５１等からなる。
【００２４】
制御部３はコンピュータとしてのＣＰＵ（中央処理装置）を備え、メモリ部４のＰＲＯＭ又はＲＯＭに格納されたプログラムを読み込み、読み込んだプログラムにより制御され、各部を制御して、前記携帯電話端末としての前記通信機能及び文字入力に関する各種機能を実現する。制御部３は文字入力時のキー操作部２の機能割付けの切り替え機能、つまり、キー操作部２に関し、文字入力機能以外の機能が動作している時のキー機能割付けモード（「Ａモード」）と、文字入力画面での文字入力機能の動作時のキー機能割付けモード（「Ｂモード」）の切り替え機能、Ｂモードで文字の種類による割り付け切り換え機能を有し、更に文字入力時の文字入力画面の表示、定型文の登録、登録した定型文の読み出し、選択された定型文の表示、本文への挿入等の文字入力の制御を行う機能、キー信号の持続時間を計測するタイマー機能、キーの押下回数を計数するＮ進（Ｎ：五十音各行の文字数等）計数機能を有する。
【００２５】
各部の機能及び信号の送受信等、相互の処理動作の概要は以下のとおりである。  
携帯電話端末のキー操作部２の複数のキーには前述のように機能が割り当てられており、その割り当ての制御は制御部３にて行われる。ユーザーがキー操作部２のキーを押下すると押下されたキーのキー信号ａ１が制御部３に入力され、制御部３は入力されたキー信号ａ１に従って携帯電話端末を制御する。
【００２６】
本実施の形態ではキー操作部２から使用頻度の高い文章等を予め携帯電話端末に登録することが可能である。ユーザーがキー操作部２からキーを指定して文章等を定型文として登録すると、制御部３はその文章をメモリ部４のＲＡＭ等にキー操作部２の各キーに対応して記憶する。
【００２７】
次に、ユーザーがキー操作部２からメール機能を起動させる等の切り換え操作を行うと、制御部３は、表示部５に文字入力画面を表示するとともに、キー操作部２の各キーの機能割付けを「Ｂモード」に切り替え、押下された個々のテンキーを認識しテンキーと文字を対応付けて、表示部５に当該文字を表示する制御を行う。具体的には、ユーザーがキー操作部２から文字入力を行うとキー操作部２からキー信号ａ１が制御部３に入力され、制御部３は入力したキー信号ａ１に割り当てられている文字信号ａ４を表示部５に出力する。
【００２８】
また、キー操作部２のテンキー等を一定時間以上押下すると、キー操作部２から制御部３に出力されるキー信号ａ１も一定時間以上持続する。制御部３にはタイマー機能を備えキー信号ａ１の持続時間をカウントすることができるとともに、時間の閾値が設定されており、キー信号ａ１の持続時間と前記時間の閾値とを比較して、キー信号ａ１が当該閾値以上の持続時間か否かを判断する。つまりキー信号ａ１の持続時間が前記閾値以上であれば、操作されたキーが一定時間（閾値）以上押下された、つまり長押しされたと判断する。制御部３はキー信号ａ１で一定時間以上の持続を検出すると、メモリ部４へキー信号ａ１の情報を含む呼び出し信号ａ２を出力する。呼び出し信号ａ２がメモリ部４に入力されると、キーと定型文の組み合わせから押下されたキーに対応する定型文が読み出され定型文の信号ａ３が制御部３に出力される。制御部３はメモリ部４から読み出された定型文の信号ａ３を入力すると、定型文の信号ａ３により文字信号ａ４を生成して表示部４に出力し、表示部４は入力した文字信号ａ４によりその定型文を表示部５に表示する。ユーザーが表示部５に出力された定型文を確認し、決定キーを押下すると文字入力が完了する。
【００２９】
また、ユーザーが定型文を事前に設定していない等、メモリ部４に定型文が記憶されていない場合は、制御部３が一定時間以上持続するキー信号ａ１を入力し、メモリ部４に呼び出し信号ａ２を出力しても、メモリ部４は制御部３に定型文の信号ａ３を出力できず、空の情報が出力される。このように空の情報がメモリ部４から出力される場合、制御部３はタイマーによる前記持続時間が閾値以上の場合にも、このキー信号ａ１に対して閾値以下の時に出力する文字信号ａ４を表示部５に出力するように制御する構成とすることができる。このような制御は、後述する第１の実施の形態の処理フローチャートの動作に好適である。
【００３０】
（動作の説明）
本発明の第１の実施の形態の動作として、各テンキーに対して複数の文字列を割り当て、文字入力操作において何れかのテンキー２１の長押しにより前記文字列を入力候補として表示させ、何れかの候補を選択することにより文字入力を行う動作について説明する。
【００３１】
最初に、ユーザーは文字入力の操作時に利用する文章の候補を携帯電話端末に登録し、登録した文章は定型文としてメモリ部４に記憶させる。
【００３２】
図３は本実施の形態のメモリ部の定型文格納領域の格納情報を示す図である。  
ユーザーは使用頻度等に応じてキー操作部２のテンキー等の各キー（各キー信号）に対して、複数の異なる文章を定型文として記憶させることが可能であり、この登録操作により複数の定型文とキー操作部２の個々のテンキーとは対応付けてメモリ部４に記憶される。図３に示すようにメモリ部４の定型文格納領域には、例えば、「１」キーに対しては、「了解しました」、「ありがとう」という文章が、「２」キーに対しては、「おめでとう」、「がんばってね」という文章が登録され、キー操作部２の１個のテンキーと複数の文章との組み合わせの記憶情報により、長押しされたテンキーの情報に基づいて複数の定型文の文章が読み出し可能となる。
【００３３】
次に第１の実施の形態の文字入力と定型文の入力動作について詳細に説明する。  
図４は第１の実施の形態の処理フローチャートを示す図である。
【００３４】
制御部３は、前述のように動作中の機能によってキー操作部２の機能割付けを切り替える機能を有し、ユーザーがキー操作部２により、例えば文字入力を必要とするメール作成機能を起動すると、制御部３は表示部４の画面を文字入力画面へ切り換えるとともに（Ｓ１０１）、キー操作部２の機能割付けを文字入力が可能な「Ｂモード」に切り換える。
【００３５】
ユーザーがキー操作部２のテンキー２１の何れかを押下すると、制御部３は押下されたキーのキー信号ａ１を入力し、「１」キーか否かを判断し（Ｓ１０３）、「１」キーであることを認識すると次に当該「１」キーの押下が長押しか否かを判断し（Ｓ１０４）、長押しである場合、メモリ部４の定型文格納領域にアクセスし、当該「１」キーに対応する複数の定型文を読み出し、入力候補として表示部５の画面部５２に表示する（Ｓ１０５）。本例ではメモリ部４に「１」キーに対応する定型文「了解しました」及び「ありがとう」の２つの文章が予め記録されており、図２に示すように両方の文章が表示部５の画面部５２に表示される。
【００３６】
ユーザーがキー操作部２のカーソルキー２２の上下選択の操作により候補の２つの文章の何れかを選択し（Ｓ１０６）、決定キー２３を押下すると（Ｓ１０７）、表示部５の画面部５１に「了解しました」の文章が表示され、長押しによる定型文の入力が完了し（Ｓ１０８）、更に入力を継続する場合はステップＳ１０３に戻る（Ｓ１０９）。
【００３７】
ステップＳ１０４において、「１」キーの押下が長押しでない場合は、制御部３は「１」キーの押下が何回目かを計数し（Ｓ１１０）、計数値ｎが１（初回）の場合は、「１」キーに割り当てられたひらがな文字「あ」を表示部５（画面部５１）に表示し（Ｓ１１１）、ユーザーが決定キーを押下すると（Ｓ１１２）、計数値ｎをリセットし（Ｓ１１３）、当該文字「あ」の入力が完了する。この後、入力を継続する場合は、ステップＳ１０３に戻り、入力を継続しない場合は処理を終了する（Ｓ１０９）。また、ステップＳ１１２で決定キー２３が押下されず、ステップＳ１０９で入力を継続する場合で、ステップＳ１０３で再度「１」キーを押下しこれが長押しでないとするとステップＳ１１０の計数値ｎは２となり「１」キーに割り当てられているひらがな文字「い」が表示部５に表示される。
【００３８】
また、制御部３はステップＳ１０３のテンキー２１の判断において、キー操作部２のテンキー２１の押下が「１」キーでない場合はステップＳ１１４で「２」キーか否かを判断し、「２」キーの場合は処理（２）が実行される。この処理（２）は前述の処理（１）と同様の処理フローチャートによるものであるが、処理（２）では定型文格納領域の候補の定型文が「おめでとう」、「がんばってね」を表示することになり、また、２回目以降も「２」キーが押下された場合には計数値ｎに応じたひらがな文字として「か行」の文字「か」、「き」、「く」…の順次に表示される。
【００３９】
更に、ステップＳ１１４で押下したテンキー２１が「２」キーでない場合は、制御部３は同様の後続の処理を行い、最後のステップＳ１１６では押下したテンキー２１が「０」キーか否かを判断し、以上の処理に準じた処理を行うことになる。
【００４０】
勿論、以上の文字入力の何れの段階でもキー入力の長押し操作を行うことにより、処理（１）〜処理（ｎ）の何れかで入力候補の複数の定型文の表示が可能であり、カーソルキー２２による定型文の選択と決定キー２３による文字入力の確定により、簡便に文章入力を行うことが可能であることは以上説明したところから明らかである。
【００４１】
なお、図４に示すステップＳ１０１で文字入力画面から文字入力画面以外へ移行すると（Ｓ１１８）、制御部３はキー機能割付けをＢモードからＡモードに切り替え、ユーザーは文字入力以外の携帯電話端末の機能操作が可能となる。
【００４２】
以上の動作により、本実施の形態によれば限られた入力キーを使って文字入力をする場面で出来るだけ煩わしいキー操作をなくして、最小限のキー押下にて文字入力を可能にすることが可能である。
【００４３】
（発明の第２の実施の形態）
第１の実施の形態では、テンキー２１に対応して複数の文章を定型文として登録した例を説明したが、例えば五十音仮名に対応して複数の文章を定型文として登録することにより、一層多くの文章を登録可能とし、五十音仮名の読みを先頭とする定型文を候補に表示可能となる第２の実施の形態を以下説明する。
【００４４】
図５は第２の実施の形態のメモリ部の定型文格納領域の格納情報を示す図である。  
第２の実施の形態ではユーザーは使用頻度等に応じてキー操作部２のテンキーの操作により特定される仮名文字に対して、複数の異なる文章を定型文として記憶させる。つまり、個々の仮名文字と複数の定型文とが対応付けてメモリ部４に記憶される。図５に示す例では、メモリ部４の定型文格納領域には、例えば、仮名文字「あ」の情報に対しては、「ありがとう」、「あとでね」という先頭の読みが「あ」で始まる文章が、仮名文字「い」に対しては、「いかがですか」、「いつも有難う」という同様に「い」で始まる文章が登録されている。これによりキー操作部２のテンキーの何れかで入力する仮名文字と複数の文章とが関連付けられ、当該仮名文字の入力時に長押しすることにより希望する複数の定型文の文章を容易に読み出すことが可能となる。
【００４５】
次に第２の実施の形態の動作について説明する。  
図６は本発明の第２の実施の形態の処理フローチャートを示す図である。
【００４６】
ユーザーがキー操作部２により、例えばメール作成機能を起動すると、制御部３は表示部４の画面を文字入力画面へ切り換え（Ｓ２０１）、キー操作部２の機能割付けを文字入力が可能な「Ｂモード」に切り換える。
【００４７】
ユーザーがキー操作部２のテンキー２１の何れかを押下すると、制御部３は押下されたキーのキー信号ａ１を入力し、「１」キーか否かを判断し（Ｓ２０３）、「１」キーの場合、制御部３は「１」キーの押下が何回目かを計数し（Ｓ２０４）、計数値ｎが１（初回）の場合は、「１」キーに割り当てられたひらがな文字「あ」を表示部５（画面部５１）に表示し（Ｓ２０５）、次に当該「１」キーの押下が長押しか否かを判断し（Ｓ２０６）、長押しである場合、メモリ部４の定型文格納領域にアクセスし、当該文字「あ」（「１」キーの１回目押下）に対応する複数の定型文を読み出し、入力文字の候補として表示部５の画面部５２に表示する（Ｓ２０７）。本例ではメモリ部４に「１」キーに対応する定型文「ありがとう」及び「あとでね」の２つの文章が予め記録されており、両方の文章が表示部５の画面部５２に表示される。
【００４８】
ユーザーがキー操作部２のカーソルキー２２の上下選択の操作により候補の２つの文章の何れかを選択し（Ｓ２０８）、決定キー２３を押下すると（Ｓ２０９）、表示部５の画面部５１に例えば表示済みの「あ」に代えて「ありがとう」の文章が表示され、長押しによる定型文の入力が完了し、更に入力を継続する場合はステップＳ２０３に戻る（Ｓ２１０）。
【００４９】
仮文字の表示状態のステップＳ２０６において、「１」キーの押下が長押しでない場合は、決定キーが押下されたか否かを判断し（Ｓ２１１）、決定キーが押下された場合は計数値ｎをリセットしてステップＳ２１０に移行し、決定キーが押下されない場合は、直接ステップＳ２１０に移行し、入力を継続する場合はステップＳ２０３に戻る。また、ステップＳ２０３で再度「１」キーを押下するとステップＳ２０４の計数値ｎは２（２回目）となり「１」キーに割り当てられているひらがな文字「い」が表示部５に表示される。
【００５０】
また、ステップＳ２０３のテンキー２１の判断において、キー操作部２のテンキー２１の押下が「１」キーでない場合はステップＳ２１３で「２」キーか否かを判断し、「２」キーの場合は処理（２）が行われる。この処理（２）は前述の処理（１）と同様の処理フローチャートであるが、処理（２）では表示される仮名文字はひらがな「か」となり、この時の「２」キーの押下が長押しであると、文字「か」に対応するメモリ部の定型文格納領域の候補の複数の定型文が表示される。なお、この後の２回目以降も「２」キーが押下された場合には計数値ｎに応じたひらがな文字は「か行」の文字「か」、「き」、「く」…の順次に表示される。
【００５１】
更に、制御部３はステップＳ２１３で押下したテンキー２１が「２」キーでない場合は、同様の後続の処理を行い、最後のステップＳ２１５では押下したテンキー２１が「０」キーか否かを判断し、以上の処理に準じた処理を実行する。
【００５２】
以上の文字入力の何れの段階でもキー入力の長押し操作を行うことにより、処理（１）〜処理（ｎ）の何れかで入力候補の複数の定型文の表示が可能であり、カーソルキー２２による定型文の選択と決定キー２３による文字入力の確定により、簡便に文章入力を行うことが可能である。
【００５３】
なお、図６に示すステップＳ２０１で文字入力画面から文字入力画面以外へ移行すると（Ｓ２１６）、制御部３はキー機能割付けを「Ｂモード」から「Ａモード」に切り替え、ユーザーは文字入力以外の携帯電話端末の機能の操作が可能となる。
【００５４】
以上の動作により、本実施の形態によれば限られた入力キーを使って文字入力をする場面で出来るだけ煩わしいキー操作をなくして、最小限のキー押下にて文字入力を行うことが可能であり、第２の実施の形態では仮名文字毎に複数の定型文の表示が可能であるから多数の定型文を用意することができるとともに、入力した仮名文字に対応する定型文としてその文字列の先頭の読みを同じにすることで、定型文の検索を簡便に行うことが可能である。
（第３の実施の形態）
第１の実施の形態では、テンキーに対応するキーの押下時に長押しでない場合は仮名表示を行い、長押しの場合は入力候補を表示する動作例を示しているが、第２の実施の形態と同様の処理手順を利用することにより、図３に示すメモリ部の定型文格納情報を利用して、テンキーの押下時にまず仮名文字を表示可能としその押下が長押しの場合に入力候補として複数の定型文を表示するように構成することが可能である。
【００５５】
図７は本発明の第３の実施の形態の処理フローチャートを示す図である。本フローチャートでは、図６に示すフローチャートのステップＳ２０７、Ｓ２１４、Ｓ２１６のみを図４に示すフローチャートに準じて変更したものであり、利用するメモリ部の定型文格納情報としては図３に示すものと同様である。図６に示すステップＳ２０７、Ｓ２１４、Ｓ２１６をそれぞれＳ３０７、Ｓ３１４、Ｓ３１６として変更し、仮名文字に応じた入力候補の表示に代えて、図３に示すメモリ部の定型文格納情報を利用して押下したキーに応じた複数の定型文を表示するように構成している。前記ステップＳ３０７、Ｓ３１４、Ｓ３１６以外の動作は第１の実施の形態の動作と同様でるので詳細な説明は省略する。
【００５６】
（発明の他の実施の形態）
以上の実施の形態においてはテンキーの押下により制御部３が仮名文字を出力する例を示したが、前述の文字の種類を切り替える機能キーの操作により、制御部３が英字、数字等の文字を出力するようにキーへの割り付けを切り替えることが可能である。また、定型文を表示するキーとしてテンキーにその機能を割り付けた例を示したが、本発明はテンキーに限らず携帯電話端末の側面スイッチ等を含む、他のキーへ適用することが可能である。
【００５７】
また、以上の説明では定型文をユーザーが予め登録する例で説明したが、製造時にメモリ部に格納しておくことも可能であり、また、格納する文章は２つに限られるものではなく複数とすることが可能であることは明らかである。
【図面の簡単な説明】
【００５８】
【図１】本実施の形態の一実施の形態の携帯電話端末を示す図である。
【図２】本実施の形態の携帯電話端末の外観の例を示す図である。
【図３】本発明の第１の実施の形態のメモリ部の定型文格納領域の格納情報を示す図である。
【図４】本発明の第１の実施の形態の処理フローチャートを示す図である。
【図５】本発明の第２の実施の形態のメモリ部の定型文格納領域の格納情報を示す図である。
【図６】本発明の第２の実施の形態の処理フローチャートを示す図である。
【図７】本発明の第３の実施の形態の処理フローチャートを示す図である。
【図８】従来の文字入力方法の処理を示す図である。
【符号の説明】
【００５９】
１  無線部
２  キー操作部
３  制御部
４  メモリ
５  表示部
２１  テンキー
２２  カーソルキー
２３  決定キー
２４  機能キー
【図１】
2008234454.tif 000003
【図２】
2008234454.tif 000004
【図３】
2008234454.tif 000005
【図４】
2008234454.tif 000006
【図５】
2008234454.tif 000007
【図６】
2008234454.tif 000008
【図７】
2008234454.tif 000009
【図８】
2008234454.tif 000010